(57)【要約】  本開示は、第１のノードから第２のノードに支援情報を送信することに関する。一実施形態において、第１のノードは、ワイヤレス送信機およびワイヤレス受信機を含む。ワイヤレス送信機による第２のノードへの第１の構成のためのプリファレンスインジケータの送信、または、第１の構成に対するプリファレンスインジケータと関連付けられる再構成要求の受信に応答して、第１のノードは、第１のノードが第２のノードへの第２の構成のためのプリファレンスインジケータの送信を許可されるまでの時間量を規定する値に設定されているタイマを始動する。その後、第１のノードは、タイマが満了するまで、第２のノードへの第２の構成のためのプリファレンスインジケータの送信をブロックする。このように、第１のノードから第２のノードへのプリファレンスインジケータの過剰なシグナリングが回避される。【選択図】図１
2015530017.tif 000002
【特許請求の範囲】
【請求項１】
ワイヤレス送信機（１４）およびワイヤレス受信機（１６）を備えるノード（１０）を動作させる方法であって、
前記ワイヤレス送信機（１４）による第２のノード（１２）への第１の構成のためのプリファレンスインジケータの送信、および、前記第１の構成のための前記プリファレンスインジケータと関連付けられる再構成要求の受信から構成される群のうちの１つに応答してタイマを始動するステップであって、前記タイマは、前記ノード（１０）が前記第２のノード（１２）への第２の構成のためのプリファレンスインジケータの送信を許可されるまでの時間量を規定する値に設定される、ステップと、
前記タイマが満了するまで、前記第２のノード（１２）への前記第２の構成のための前記プリファレンスインジケータの送信をブロックするステップと
を含む、方法。
【請求項２】
前記ノード（１０）が前記第２のノード（１２）への前記第２の構成のための前記プリファレンスインジケータの送信を許可されるまでの前記時間量を規定する前記値は、前記第２の構成と関連付けられる動作の遅延感度に反比例する、請求項１に記載の方法。
【請求項３】
前記タイマを始動するステップは、前記ワイヤレス送信機（１４）による前記第２のノード（１２）への前記第１の構成のための前記プリファレンスインジケータの送信に応答して前記タイマを始動するステップを含む、請求項１に記載の方法。
【請求項４】
前記タイマを始動するステップは、前記ワイヤレス受信機（１６）による前記第２のノード（１２）からの前記第１の構成のための前記プリファレンスインジケータと関連付けられる前記再構成要求の受信に応答して前記タイマを始動するステップを含む、請求項１に記載の方法。
【請求項５】
前記タイマが満了した後、前記ワイヤレス送信機（１４）によって前記第２のノード（１２）に前記第２の構成のための前記プリファレンスインジケータを送信するステップをさらに含む、請求項１に記載の方法。
【請求項６】
前記第２のノード（１２）への前記第２の構成のための前記プリファレンスインジケータの送信に応答して、前記ノード（１０）が前記第２のノード（１２）への前記第１の構成のための前記プリファレンスインジケータの送信を許可されるまでの時間量を規定する値に設定されているタイマを始動するステップと、
前記ノード（１０）が前記第２のノード（１２）への前記第１の構成のための前記プリファレンスインジケータの送信を許可されるまでの前記時間量を規定する前記値に設定されている前記タイマが満了するまで、前記第２のノード（１２）への前記第１の構成のための前記プリファレンスインジケータの送信をブロックするステップと
をさらに含む、請求項５に記載の方法。
【請求項７】
前記ノード（１０）が前記第２のノード（１２）への前記第１の構成のための前記プリファレンスインジケータの送信を許可されるまでの前記時間量を規定する前記値は、前記ノード（１０）が前記第２のノード（１２）への前記第２の構成のための前記プリファレンスインジケータの送信を許可されるまでの前記時間量を規定する前記値とは異なる、請求項６に記載の方法。
【請求項８】
前記ノード（１０）が前記第２のノード（１２）への前記第１の構成のための前記プリファレンスインジケータの送信を許可されるまでの前記時間量を規定する前記値に設定されている前記タイマは、前記ノード（１０）が前記第２のノード（１２）への前記第２の構成のための前記プリファレンスインジケータの送信を許可されるまでの前記時間量を規定する前記値に設定されているものと同じタイマであり、
前記ノード（１０）が前記第２のノード（１２）への前記第１の構成のための前記プリファレンスインジケータの送信を許可されるまでの前記時間量を規定する前記値は、前記ノード（１０）が前記第２のノード（１２）への前記第２の構成のための前記プリファレンスインジケータの送信を許可されるまでの前記時間量を規定する前記値とは異なる、請求項６に記載の方法。
【請求項９】
前記ノード（１０）が前記第２のノード（１２）への前記第１の構成のための前記プリファレンスインジケータの送信を許可されるまでの前記時間量を規定する前記値に設定されている前記タイマが満了した後、前記ワイヤレス送信機（１４）によって前記第２のノード（１２）に前記第１の構成のための前記プリファレンスインジケータを送信するステップをさらに含む、請求項６に記載の方法。
【請求項１０】
前記ノード（１０）はワイヤレスデバイス（２６）であり、前記第２のノード（１２）はセルラ通信ネットワーク（２２）の基地局（２４）である、請求項１に記載の方法。
【請求項１１】
前記第１の構成のための前記プリファレンスインジケータは、通常電力構成のためのプリファレンスインジケータであり、前記第２の構成のための前記プリファレンスインジケータは、高電力効率構成のためのプリファレンスインジケータであり、前記ノード（１０）は、前記高電力効率構成において動作するときは、前記通常電力構成において動作するよりも動作中の消費電力が少ない、請求項１０に記載の方法。
【請求項１２】
前記通常電力構成および前記高電力効率構成は、接続状態にある間の前記ワイヤレスデバイス（２６）の不連続受信動作モードのための構成である、請求項１１に記載の方法。
【請求項１３】
前記タイマを始動するステップは、前記ワイヤレス送信機（１４）による前記基地局（２４）への前記高電力効率構成のための前記プリファレンスインジケータの送信に応答して前記タイマを始動するステップを含む、請求項１１に記載の方法。
【請求項１４】
前記タイマを始動するステップは、前記ワイヤレス受信機（１６）による前記基地局（２４）からの前記通常電力構成のための前記プリファレンスインジケータと関連付けられる再構成要求の受信に応答して前記タイマを始動するステップを含む、請求項１１に記載の方法。
【請求項１５】
前記タイマが満了した後、前記ワイヤレス送信機（１４）によって前記基地局（２４）に前記高電力効率構成のための前記プリファレンスインジケータを送信するステップをさらに含む、請求項１１に記載の方法。
【請求項１６】
前記第１の構成のための前記プリファレンスインジケータは、高電力効率構成のためのプリファレンスインジケータであり、前記第２の構成のための前記プリファレンスインジケータは、通常電力構成のためのプリファレンスインジケータであり、前記ノード（１０）は、前記高電力効率構成において動作するときは、動作中の消費電力がより少ない、請求項１０に記載の方法。
【請求項１７】
前記通常電力構成および前記高電力効率構成は、接続状態にある間の前記ワイヤレスデバイス（２６）の不連続受信動作モードのための構成である、請求項１６に記載の方法。
【請求項１８】
前記タイマを始動するステップは、前記ワイヤレス送信機（１４）による前記基地局（２４）への前記高電力効率構成のための前記プリファレンスインジケータの送信に応答して前記タイマを始動するステップを含む、請求項１６に記載の方法。
【請求項１９】
前記タイマを始動するステップは、前記ワイヤレス受信機（１６）による前記基地局（２４）からの前記高電力効率構成のための前記プリファレンスインジケータと関連付けられる再構成要求の受信に応答して前記タイマを始動するステップを含む、請求項１６に記載の方法。
【請求項２０】
前記タイマが満了した後、前記ワイヤレス送信機（１４）によって前記基地局（２４）に前記通常電力構成のための前記プリファレンスインジケータを送信するステップをさらに含む、請求項１６に記載の方法。
【請求項２１】
前記基地局（２４）への前記通常電力構成のための前記プリファレンスインジケータの送信に応答して、前記ワイヤレスデバイス（２６）が前記基地局（２４）への前記高電力効率構成のための前記プリファレンスインジケータの送信を許可されるまでの時間量を規定する値に設定されているタイマを始動するステップと、
前記ワイヤレスデバイス（２６）が前記基地局（２４）への前記高電力効率構成のための前記プリファレンスインジケータの送信を許可されるまでの前記時間量を規定する前記値に設定されている前記タイマが満了するまで、前記基地局（２４）への前記高電力効率構成のための前記プリファレンスインジケータの送信をブロックするステップと
をさらに含む、請求項２０に記載の方法。
【請求項２２】
前記ワイヤレスデバイス（２６）が前記基地局（２４）への前記高電力効率構成のための前記プリファレンスインジケータの送信を許可されるまでの前記時間量を規定する前記値に設定されている前記タイマが満了した後、前記ワイヤレス送信機（１４）によって前記基地局（２４）に前記高電力効率構成のための前記プリファレンスインジケータを送信するステップをさらに含む、請求項２１に記載の方法。
【請求項２３】
前記タイマが満了するまで、前記第２のノード（１２）への前記第２の構成のための前記プリファレンスインジケータの送信をブロックするステップは、
支援情報手順を開始するステップと、
所望の電力構成のためのプリファレンスインジケータを含む支援情報の送信をブロックすべきか、または開始すべきかを判定するために前記支援情報手順を実施するステップと
を含む、請求項１０に記載の方法。
【請求項２４】
前記タイマを始動するステップは、前記ワイヤレス送信機（１４）による前記基地局（２４）への前記第１の構成のための前記プリファレンスインジケータの送信に応答して前記タイマを始動するステップを含む、請求項２３に記載の方法。
【請求項２５】
前記支援情報手順を実施するステップは、
前記所望の電力構成のための前記プリファレンスインジケータが、前記第１の構成のための前記プリファレンスインジケータと異なる前記第２の構成のための前記プリファレンスインジケータであるか否かを判定するステップと、
前記所望の電力構成のための前記プリファレンスインジケータが前記第２の構成のための前記プリファレンスインジケータである場合、
前記タイマが満了したか否かを判定するステップと、
前記タイマが満了していない場合、前記第２の構成のための前記プリファレンスインジケータを含む前記支援情報の送信をブロックするステップと、
前記タイマが満了している場合、前記第２の構成のための前記プリファレンスインジケータを含む前記支援情報の送信を開始するステップと
を含む、請求項２４に記載の方法。
【請求項２６】
前記支援情報の送信の開始に応答して、
前記第２の構成のための前記プリファレンスインジケータが高電力効率構成のためのプリファレンスインジケータであるか否かを判定するステップと、
前記プリファレンスインジケータが前記高電力効率構成のための前記プリファレンスインジケータである場合、
前記支援情報のパワープリファレンスインジケータを、前記高電力効率構成のための前記プリファレンスインジケータに設定するステップと、
前記ワイヤレス送信機によって前記基地局に前記パワープリファレンスインジケータを含む前記支援情報を送信するステップと
をさらに含む、請求項２５に記載の方法。
【請求項２７】
前記第１の構成のための前記プリファレンスインジケータは、通常電力構成のためのプリファレンスインジケータであり、前記第２の構成のための前記プリファレンスインジケータは、前記高電力効率構成のための前記プリファレンスインジケータであり、前記ノード（１０）は、前記高電力効率構成において動作するときは、前記通常電力構成において動作するよりも動作中の消費電力が少ない、請求項２６に記載の方法。
【請求項２８】
前記ノード（１０）が前記第２のノード（１２）への前記第２の構成のための前記プリファレンスインジケータの送信を許可されるまでの前記時間量を規定する前記値は０以上である、請求項１に記載の方法。
【請求項２９】
前記ノード（１０）が前記第２のノード（１２）への前記第２の構成のための前記プリファレンスインジケータの送信を許可されるまでの前記時間量を規定する前記値は０より大きい、請求項１に記載の方法。
【請求項３０】
ノード（１０）であって、
ワイヤレス送信機（１４）と、
ワイヤレス受信機（１６）と、
前記ワイヤレス送信機（１４）および前記ワイヤレス受信機（１６）と関連付けられている処理サブシステム（３４）であって、
前記ワイヤレス送信機（１４）による第２のノード（１２）への第１の構成のためのプリファレンスインジケータの送信、および、前記第１の構成のための前記プリファレンスインジケータと関連付けられる再構成要求の受信から構成される群のうちの１つに応答してタイマを始動し、ここで、前記タイマは、前記ノード（１０）が前記第２のノード（１２）への第２の構成のためのプリファレンスインジケータの送信を許可されるまでの時間量を規定する値に設定され、
前記タイマが満了するまで、前記第２のノード（１２）への前記第２の構成のための前記プリファレンスインジケータの送信をブロックするように構成されている、処理サブシステム（３４）と
を含む、ノード（１０）。
【請求項３１】
前記ノード（１０）はワイヤレスデバイス（２６）であり、前記第２のノード（１２）はセルラ通信ネットワーク（２２）の基地局（２４）である、請求項３０に記載のノード（１０）。
【請求項３２】
セルラ通信ネットワーク（２２）においてワイヤレスデバイス（２６）を動作させる方法であって、
支援情報手順を開始するステップと、
所望の電力構成のためのプリファレンスインジケータを含む支援情報の、前記セルラ通信ネットワーク（２２）の基地局（２４）への送信をブロックすべきか、または開始すべきかを判定するために前記支援情報手順を実施するステップと
を含む、方法。
【請求項３３】
前記支援情報手順を実施するステップは、
前記所望の電力構成のための前記プリファレンスインジケータが、前記ワイヤレスデバイス（２６）によって前記基地局（２４）に送信された最新のプリファレンスインジケータと異なるか否かを判定するステップと、
前記所望の電力構成のための前記プリファレンスインジケータが、前記ワイヤレスデバイス（２６）によって前記基地局（２４）に送信された前記最新のプリファレンスインジケータと異なる場合、
タイマが満了したか否かを判定するステップと、
前記タイマが満了していない場合、前記所望の電力構成のための前記プリファレンスインジケータを含む前記支援情報の送信をブロックするステップと、
前記タイマが満了している場合、前記所望の電力構成のための前記プリファレンスインジケータを含む前記支援情報の送信を開始するステップと
を含む、請求項３２に記載の方法。
【請求項３４】
前記支援情報手順を実施するステップは、
前記所望の電力構成のための前記プリファレンスインジケータが、前記ワイヤレスデバイス（２６）によって前記基地局（２４）に送信された前記最新のプリファレンスインジケータと異ならない場合、
前記ワイヤレスデバイス（２６）が、モビリティ制御情報を含んでいた前記基地局（２４）からの接続再構成メッセージの前記ワイヤレスデバイス（２６）による受信に先行する規定の時間量の間に、前記ワイヤレスデバイス（２６）によって前記基地局（２４）に送信される、前記最新のプリファレンスインジケータを送信したか否かを判定するステップと、
前記ワイヤレスデバイス（２６）が、前記モビリティ制御情報を含んでいた前記基地局（２４）からの前記接続再構成メッセージの前記ワイヤレスデバイス（２６）による受信に先行する前記規定の時間量の間に、前記最新のプリファレンスインジケータを送信していた場合、前記所望の電力構成のための前記プリファレンスインジケータを含む前記支援情報の送信を開始するステップと、
前記ワイヤレスデバイス（２６）が、前記モビリティ制御情報を含んでいた前記基地局（２４）からの前記接続再構成メッセージの前記ワイヤレスデバイス（２６）による受信に先行する前記規定の時間量の間に、前記最新のプリファレンスインジケータを送信していた場合、前記所望の電力構成のための前記プリファレンスインジケータを含む前記支援情報の送信をブロックするステップと
をさらに含む、請求項３３に記載の方法。
【請求項３５】
前記支援情報の送信の開始に応答して、
前記所望の電力構成のための前記プリファレンスインジケータが高電力効率構成のためのプリファレンスインジケータであるか否かを判定するステップと、
前記プリファレンスインジケータが前記高電力効率構成のための前記プリファレンスインジケータでない場合、
前記ワイヤレスデバイス（２６）が前記高電力効率構成のための前記プリファレンスインジケータの送信を許可されるまでの時間量を規定する値に設定されている前記タイマを始動するステップと、
前記支援情報のパワープリファレンスインジケータを、通常電力構成のためのプリファレンスインジケータに設定するステップであって、前記ワイヤレスデバイス（２６）は、前記通常電力構成において動作するとき、前記高電力効率構成において動作するときよりも消費電力が多い、ステップと、
前記基地局（２４）に前記パワープリファレンスインジケータを含む前記支援情報を送信するステップと
をさらに含む、請求項３３に記載の方法。
【請求項３６】
前記プリファレンスインジケータが前記高電力効率構成のためのものである場合、
前記支援情報のパワープリファレンスインジケータを、前記高電力効率構成のための前記プリファレンスインジケータに設定するステップと、
前記基地局（２４）に前記パワープリファレンスインジケータを含む前記支援情報を送信するステップと
をさらに含む、請求項３５に記載の方法。
【請求項３７】
前記プリファレンスインジケータが前記高電力効率構成のためのものである場合、前記ワイヤレスデバイス（２６）が前記通常電力構成のための前記プリファレンスインジケータを送信することを許可されるまでの時間量を規定する値に設定されている前記タイマを始動するステップをさらに含む、請求項３６に記載の方法。
【請求項３８】
セルラ通信ネットワーク（２２）において動作するように構成されているワイヤレスデバイス（２６）であって、
無線サブシステム（２８）と、
前記無線サブシステム（２８）と関連付けられている処理サブシステム（３４）であって、
支援情報手順を開始し、
所望の電力構成のためのプリファレンスインジケータを含む支援情報の、前記セルラ通信ネットワーク（２２）の基地局（２４）への送信をブロックすべきか、または開始すべきかを判定するために前記支援情報手順を実施するように構成されている、処理サブシステム（３４）と
を備える、ワイヤレスデバイス（２６）。
【発明の詳細な説明】
【技術分野】
【０００１】
関連出願
本出願は、２０１２年８月２日に出願された米国仮特許出願第６１／６７８，７９１号、および、２０１３年５月１７日に出願された米国非仮特許出願第１３／８９６，８０１号の利益を主張し、当該特許文献の開示全体が、参照により本明細書に組み込まれる。
【０００２】
本発明は、ワイヤレス送信機からワイヤレス受信機への支援情報のシグナリングに関し、より詳細には、ワイヤレス送信機からワイヤレス受信機への支援情報の過剰なシグナリングをブロックすることに関する。
【背景技術】
【０００３】
ワイヤレスデバイス間の接続の特定の構成に対する、変化するプリファレンスを示すために、メッセージが別のワイヤレスデバイスに頻繁に送信される場合がある多くのシナリオがある。１つのそのようなシナリオは、３ＧＰＰ  ＲＡＮ２と称される第３世代パートナーシッププロジェクト（３ＧＰＰ）無線アクセスネットワーク（ＲＡＮ）ワークグループ２（ＷＧ２）における多様なデータアプリケーションに対する強化（ｅＤＤＡ）に関する作業項目の文脈におけるものである。
【０００４】
効率的な電力消費が、セルラ通信ネットワーク内のワイヤレスデバイス（たとえば、ユーザ機器（ＵＥ）、ユーザ要素と称されることがある）の重要な特性の１つである。今日のデジタル世界において、ワイヤレスデバイスは、特にソーシャルネットワーキングアプリケーションの人気に起因して、セルラ通信ネットワークに常時「接続」されている傾向にある。これらのアプリケーションは通常、ビデオ電話通信またはウェブ閲覧などの、遅延敏感特性を有するトラフィックを有する他のアプリケーションとは対照的に、遅延耐性がある。ソーシャルネットワーキングアプリケーションは、通常サイズは小さいものの、相対的に高いエネルギー消費を促す手順を起動する断続的なパケット伝送を生成する。したがって、ソーシャルネットワーキングアプリケーションは、ワイヤレスデバイスの電池を頻繁に（すなわち、１日あたり１回より多く）再充電する必要があることに起因して、不便なユーザ体験を引き起こすおそれがある。
【０００５】
３ＧＰＰは、進化型ユニバーサル地上無線アクセスネットワーク（Ｅ−ＵＴＲＡＮ）に関する仕様を開発しており、これはロングタームエボリューション（ＬＴＥ）概念を含む。ＲＡＮ２において、ソーシャルネットワーキングアプリケーションのものなどの多様なトラフィックプロファイルに対処するＬＴＥの機能を強化することができるメカニズムを特定および規定するための、ｅＤＤＡに関する作業項目（ＷＩ）が、ＬＴＥリリース１１（Ｒｅｌ−１１）において作成されている。このＷＩの目的は、ネットワーク効率を増大させ、ＵＥ電池寿命を延ばし、シグナリングオーバヘッドを低減し、そのようなトラフィック負荷の下でユーザ体験およびシステム性能を強化することができる改善点を特定することである。
【０００６】
焦点となる領域の１つは、ＵＥの電力消費を極力低減するために、ＵＥ挙動を変化させることである。ＬＴＥ仕様の以前のリリースにおいて、タイマであって、当該タイマが満了し、送信するためのデータがなくなると、ＣＯＮＮＥＣＴＥＤ（接続）モードからＩＤＬＥ（アイドル）モードへの切り替えを可能にするための、タイマが導入された。さらに、ＵＥがＣＯＮＮＥＣＴＥＤモードのままであるときに電池電力を節約するために、３ＧＰＰ規格におけるＬＴＥに不連続受信（ＤＲＸ）モードが導入された。種々のタイプのサービス、たとえば、ボイスオーバーインターネットプロトコル（ＶｏＩＰ）、ゲーミング、ウェブ閲覧、およびビデオ電話通信に利用することができるＤＲＸパラメータに利用可能な幅広い構成セットがある。ＤＲＸ構成は、基地局、またはｅＮｏｄｅＢ（ｅＮＢ）によって設定される。しかしながら、ＵＥのためにＤＲＸ構成を設定すると有益であり得る、基地局において利用可能でない情報を、ＵＥが有するシナリオがあり得る。そのため、そのような情報をＵＥから基地局にシグナリングするためのシステムおよび方法が必要とされている。
【発明の概要】
【０００７】
本開示は、第１のノードから第２のノードに支援情報を送信することに関する。特に、過剰なシグナリングを回避しながら第１のノードから第２のノードに支援情報を送信するためのシステムおよび方法が開示される。一実施形態において、第１のノードは、ワイヤレス送信機およびワイヤレス受信機を含む。ワイヤレス送信機による第２のノードへの第１の構成のためのプリファレンスインジケータの送信、または、第１の構成に対するプリファレンスインジケータと関連付けられる再構成要求の受信に応答して、第１のノードは、第１のノードが第２のノードへの第２の構成のためのプリファレンスインジケータの送信を許可されるまでの時間量を規定する値に設定されているタイマを始動する。その後、第１のノードは、タイマが満了するまで、第２のノードへの第２の構成のためのプリファレンスインジケータの送信をブロックする。このように、第１のノードから第２のノードへのプリファレンスインジケータの過剰なシグナリングが回避される。
【０００８】
一実施形態において、第１のノードは、セルラ通信ネットワークにおいて動作するように構成されているワイヤレスデバイスであり、第２のノードは、セルラ通信ネットワークの基地局である。またさらに、一実施形態において、第１の構成のためのプリファレンスインジケータは、通常電力構成のためのプリファレンスインジケータであり、第２の構成のためのプリファレンスインジケータは、高電力効率構成のためのプリファレンスインジケータである。
【０００９】
一実施形態において、セルラ通信ネットワークにおいて動作するように構成されているワイヤレスデバイスは、支援情報手順を開始し、所望の電力構成のためのプリファレンスインジケータを含む支援情報の、セルラ通信ネットワークの基地局への送信をブロックすべきか、または開始すべきかを判定するために支援情報手順を実施するように動作する。一実施形態において、支援情報手順を実施することは、所望の電力構成のためのプリファレンスインジケータが、ワイヤレスデバイスによって基地局に送信された最新のプリファレンスインジケータと異なるか否かを判定することを含む。そうである場合、ワイヤレスデバイスは、タイマが満了しているか否かを判定する。一実施形態において、タイマは、所望の電力構成のためのプリファレンスインジケータを含む支援情報が送信される前に満了することが確実である時間量を規定する値に設定され、最新のプリファレンスインジケータが基地局に送信されるのに応答して始動される。タイマが満了していない場合、ワイヤレスデバイスは、所望の電力構成のためのプリファレンスインジケータを含む支援情報の送信をブロックする。タイマが満了している場合、ワイヤレスデバイスは、所望の電力構成のためのプリファレンスインジケータを含む支援情報の送信を開始する。
【００１０】
当業者は、以下の好ましい実施形態の詳細な説明を添付の図面に関連付けて読んだ後に、本開示の範囲を諒解し、その追加の態様を理解しよう。
【００１１】
本明細書に組み込まれその一部を形成している添付の図面は、本開示のいくつかの態様を示し、本明細書とともに、本開示の原理を説明する役割を果たす。
【図面の簡単な説明】
【００１２】
【図１】本開示の一実施形態による、ワイヤレス送信機およびワイヤレス受信機を含むノードの、第２のノードへの支援情報の過剰なシグナリングを回避するための動作を示す図である。
【図２】本開示の別の実施形態による、ワイヤレス送信機およびワイヤレス受信機を含むノードの、第２のノードへの支援情報の過剰なシグナリングを回避するための動作を示す図である。
【図３】本開示の一実施形態による、ワイヤレスデバイスが基地局への支援情報の過剰なシグナリングを回避するように動作する、セルラ通信ネットワークの基地局およびワイヤレスデバイスを示す図である。
【図４】本開示の一実施形態による、図３のワイヤレスデバイスの、基地局への支援情報の過剰なシグナリングを回避するための動作を示す図である。
【図５】本開示の一実施形態による、図３のワイヤレスデバイスの、支援情報手順による、基地局への支援情報の過剰なシグナリングを回避するための動作を示す図である。
【図６】本開示の一実施形態による、図５の支援情報手順を示す流れ図である。
【図７】本開示の一実施形態による、図６の支援情報手順によって開始される送信プロセスを示す流れ図である。
【図８】本開示の一実施形態による図３のワイヤレスデバイスのブロック図である。
【図９】本開示の一実施形態による図３の基地局のブロック図である。
【発明を実施するための形態】
【００１３】
下記に記載される実施形態は、当業者が実施形態を実践することを可能にするのに必要な情報を表し、実施形態を実践する最良の形態を示す。添付の図面に照らして以下の説明を読めば、当業者は本開示の概念を理解し、本明細書において詳細には触れられていないこれらの概念の応用形態を認識しよう。これらの概念および応用形態は、本開示および添付の特許請求項の範囲内に入ることを理解されたい。
【００１４】
本開示は、第１のノードから第２のノードに支援情報を送信することに関する。特に、過剰なシグナリングを回避しながら第１のノードから第２のノードに支援情報を送信するためのシステムおよび方法が開示される。本開示の実施形態を説明する前に、本明細書において開示される実施形態によって対処される１つの問題を簡潔に説明することが有益である。多くのシナリオにおいて、ワイヤレス送信機およびワイヤレス受信機を有する第１のノードが、ワイヤレス送信機およびワイヤレス受信機を有する第２のノードに、第１のノードと第２のノードとの間のワイヤレス接続に関係する第１のノードのプリファレンスの変化をシグナリングするために、情報を送信することが有益であり得る。しかしながら、第１のノードのプリファレンス（複数の場合もあり）を含む情報を第２のノードに頻繁に送信することによって、対応するワイヤレスネットワークにおいて過剰なシグナリングが発生する場合がある。ワイヤレスネットワークがそのリソースをより効率的に利用し、したがって、そのユーザにより良好なサービス体験を提供するために、そのような過剰なシグナリングを回避することが有益であるか、または、場合によっては必要である。したがって、下記に詳細に説明されるように、本明細書において開示される実施形態は、過剰なシグナリングを回避しながら、プリファレンス情報、または任意の他のタイプの支援情報を第１のノードから第２のノードに通信することができるメカニズムを提供する。
【００１５】
支援情報の過剰なシグナリングが発生する場合がある１つの特定のワイヤレスネットワークは、ロングタームエボリューション（ＬＴＥ）リリース１１（Ｒｅｌ−１１）および後続の仕様に従って動作するセルラ通信ネットワーク内にある。より詳細には、ＬＴＥおよびシステムアーキテクチャエボリューション（ＳＡＥ）概念から構成される進化型ユニバーサル地上無線アクセスネットワーク（Ｅ−ＵＴＲＡＮ）において、ワイヤレスデバイス、またはユーザ機器もしくはユーザ要素（ＵＥ）の電池寿命を延ばすことが課題であると考えられる。ワイヤレスデバイスがＣＯＮＮＥＣＴＥＤモードのままであるときに電池電力を節約するために、第３世代パートナーシッププロジェクト（３ＧＰＰ）規格におけるＬＴＥに、強化型不連続受信（ＤＲＸ）モードが導入されている。種々のタイプのサービス、たとえば、ゲーミング、ウェブ閲覧、およびビデオ電話通信にサービスすることができるＤＲＸパラメータに利用可能な幅広い構成セットがある。ＤＲＸ構成は通常、基地局、またはｅＮｏｄｅＢ（ｅＮＢ）によって設定される。しかしながら、ワイヤレスデバイスが、基地局において利用可能でない情報を有するシナリオがあり得る。たとえば、ワイヤレスデバイスは、ワイヤレスデバイスのユーザが電池寿命をより長くするために遅延耐性動作を好むことを示す情報を有する場合がある。この情報は、基地局が、ワイヤレスデバイスのためにいずれのＤＲＸ構成を使用すべきかを判断するのを支援し得る。それゆえ、以下において支援情報と称されるそのような情報が基地局にとって有用であると考えられる。特に、本明細書において使用される場合、「支援情報」とは、第２のノードにとって有用であると考えられる、第１のノードには既知の任意の情報のことである。好ましい一実施形態において、支援情報は、遅延敏感または遅延耐性動作に対するワイヤレスデバイスまたはＵＥの意欲を示す、ＤＲＸに関するプリファレンス、および、したがってそのパワープリファレンスを示す情報である。
【００１６】
第１のノードから第２のノードへのパワープリファレンスなどの支援情報の送信は、第１のノードの電池寿命の増進に有益であると考えられるが、本発明者らは、実施するためのトリガが第１のノードに委ねられており、かつ支援情報の過剰なシグナリングをブロックするためのメカニズムが設けられていない場合にプリファレンスの頻繁な変化に起因して、支援情報の過剰なシグナリングが発生する場合があることを見出した。過剰なシグナリングの結果として、第１のノードにおいて電力消費が増大するだけでなく、第２のノードにおけるシグナリング過負荷に起因してセルラ通信ネットワーク内の他のノードに対するサービス品質が悪化することになる場合もある。そのため、支援情報を基地局にシグナリングすることからもたらされる電池寿命利得から受益することを可能にするために、そのような過剰なシグナリングを回避するためのメカニズムが必要とされている。同時に、第１のノードが、そのプリファレンスが変化したことを第２のノードに適時に示すことを可能にすることも重要であり、これは、第１のノードが遅延敏感サービスまたはアプリケーションの使用を開始するときに特に重要である。
【００１７】
特に、支援情報の送信は、広帯域符号分割多元接続（ＷＣＤＭＡ）セルラ通信ネットワークにおけるネットワーク構成タイマ（Ｔ３２３）と同様のタイマを使用して制限することができる。単にワイヤレスデバイスが所望するときにシグナリング接続を解放するのではなく、シグナリング接続を解放する前に受信機構成タイマが満了することを必要とするメカニズムが、３ＧＰＰ技術仕様書（ＴＳ）２５．３３１においてＷＣＤＭＡ向けに規定されている。ＷＣＤＭＡにおいて、このタイマは、セルラ通信ネットワークによって構成可能であり、システムブロードキャストにおいて利用可能である。タイマが満了すると、ワイヤレスデバイスはシグナリング接続解放指示メッセージを送信することができる。
【００１８】
ＷＣＤＭＡにおいては、ワイヤレスデバイスによって送信されるべきすべてのプリファレンスインジケータメッセージが、それらの遅延に対する感度にかかわらず、同じ時間量が満了するのを待たなければならない。しかしながら、本発明者らは、いくつかのプリファレンスインジケータは遅延敏感動作に関連付けられる場合があり、それゆえ、他のプリファレンスインジケータよりも早期に送信される必要があることを見出した。たとえば、ＬＴＥにおいて、通常の、またはデフォルトの電力構成のためのＤＲＸパワープリファレンスインジケータは遅延に敏感である（すなわち、遅延に耐性がない）場合があり、一方で、高電力効率構成のためのＤＲＸパワープリファレンスインジケータは、遅延に敏感でない（すなわち、遅延に耐性がある）場合がある。したがって、遅延耐性（すなわち、高電力効率）動作から遅延敏感動作への切り替えは、遅延敏感動作から遅延耐性動作への切り替えと比較して優先されるべきである。そのため、後述するように、本開示の実施形態は、送信されるべき支援情報の内容に応じて異なる値に設定することができるタイマを利用して過剰なシグナリングを回避する。
【００１９】
これに関連して、図１は、本開示の一実施形態による、過剰なシグナリングを回避するように、ノード１２に支援情報をシグナリングするためのノード１０の動作を示す。ノード１０は、ワイヤレス送信機（ＴＸ）１４およびワイヤレス受信機（ＲＸ）１６を含む。同様に、ノード１２は、ワイヤレス送信機１８およびワイヤレス受信機２０を含む。後述するように、一実施形態において、ノード１０は、セルラ通信ネットワークにおけるワイヤレスデバイス（たとえば、ＵＥ）であり、ノード１２は、セルラ通信ネットワークの基地局である。しかしながら、ノード１０および１２はこれに限定されない。むしろ、ノード１０および１２は、ノード１０からノード１２へ支援情報を送信することが有益である任意のタイプのワイヤレスネットワークにおける任意のタイプのデバイスである。ここでも、支援情報は一般に、ノード１２にとって有益である、ノード１０に既知の任意の情報である。一実施形態において、支援情報は、ノード１０とノード１２との間のワイヤレス接続を構成するときに、ノード１２にとって有益である、ノード１０に既知の情報である。またさらに、特定の一実施形態において、支援情報は、ノード１０とノード１２との間のワイヤレス接続の電力構成のためのプリファレンスインジケータであるか、またはそれを含む。たとえば、プリファレンスインジケータは、通常電力構成のためのプリファレンスインジケータまたは高電力効率構成のためのプリファレンスインジケータであってもよい。特定の一例として、プリファレンスインジケータは、ノード１０のＤＲＸ動作モードに対する通常電力構成のためのプリファレンスインジケータであってもよく、または、ノード１０のＤＲＸ動作モードに対する高電力効率構成のためのプリファレンスインジケータであってもよい。
【００２０】
図１の実施形態において、支援情報は、ノード１０とノード１２との間のワイヤレス接続の所望の構成（たとえば、所望の電力構成）のためのプリファレンスインジケータである。図示のように、ノード１０は、第１の構成のためのプリファレンスインジケータ（プリファレンスインジケータ１）を、ノード１０のワイヤレス送信機１４によってノード１２に送信する（ステップ１０００）。第１の構成は、ノード１０とノード１２との間のワイヤレス接続の第１の構成（たとえば、通常電力構成）である。図示されていないが、ノード１２は、ノード１０からのプリファレンスインジケータを利用して、ワイヤレス接続を再構成すべきか否かを判断する。しかしながら、ノード１２はプリファレンスインジケータの受信に応答して必ずしもワイヤレス接続を再構成するとは限らないことに留意されたい。ノード１２の判断は、追加の要因に基づいて行われてもよい。
【００２１】
ノード１２への第１の構成のためのプリファレンスインジケータの送信に応答して、ノード１０は、ノード１０がノード１２に第２の構成のためのプリファレンスインジケータ（プリファレンスインジケータ２）を送信することを許可される前に満了することが確実である時間量を規定する値に設定されているタイマを始動する（ステップ１００２）。第２の構成は、ノード１０とノード１２との間のワイヤレス接続の第２の構成（たとえば、高電力効率構成）である。タイマが設定される値は、特定の実施態様に応じて変化し得る。一般に、タイマの値は、０以上の任意の値であってもよい。しかしながら、好ましい一実施形態において、タイマが設定される値は、第２の構成と関連付けられる動作の遅延感度に反比例する。言い換えれば、好ましい一実施形態において、タイマが設定される値は、タイマが満了するまでノード１０が送信をブロックすべきプリファレンスインジケータの関数である。一例として、第２の構成が遅延に敏感でない（または遅延耐性がある）動作と関連付けられる高電力効率構成である場合、タイマが設定される値は大きく（すなわち、通常電力構成に使用される値よりも大きく）てもよい。特定の一例として、第２の構成が遅延に敏感でない動作と関連付けられる場合の第２の構成のためのプリファレンスインジケータに対するタイマの値は、数十〜数百秒であってもよい。
【００２２】
タイマが始動すると、ノード１０はその後、ステップ１００２において始動したタイマが満了するまで、第２の構成のためのプリファレンスインジケータのノード１２への送信をブロックする（ステップ１００４）。より詳細には、ノード１０における事象が、第２の構成のためのプリファレンスインジケータを送信しようとする試行をトリガし得る。たとえば、第２の構成が高電力効率構成である場合、ノード１０のユーザは、ノード１０を高電力効率モードにおき得る。それに応答して、ノード１０は、ワイヤレス接続の高電力効率構成のためのプリファレンスインジケータをノード１２に送信しようと試行し得る。ステップ１００２において始動したタイマが満了していない場合、ノード１０は、高電力効率構成のためのプリファレンスインジケータの送信をブロックする。このように、ノード１０からノード１２へのプリファレンスインジケータの過剰なシグナリングが防止される。タイマが満了した後の何らかの時点において、ノード１０は、ワイヤレス送信機１４によってノード１２に第２の構成のためのプリファレンスインジケータを送信する（ステップ１００６）。言い換えれば、タイマが満了すると、ノード１０は、ノード１２への第２の構成のためのプリファレンスインジケータの送信を許可する。
【００２３】
この実施形態において、ステップ１００６における第２の構成のためのプリファレンスインジケータの送信に応答して、ノード１０は、ノード１０がノード１２に第１の構成のためのプリファレンスインジケータ（プリファレンスインジケータ１）を送信することを許可される前に満了することが確実である時間量を規定する値に設定されているタイマを始動する（ステップ１００８）。特に、ステップ１００８のためのタイマは好ましくは、上記ステップ１００２および１００４に使用したものと同じタイマであるが、タイマは異なる値に設定される。タイマが設定される値は、特定の実施態様に応じて変化し得る。一般に、タイマの値は、０以上の任意の値であってもよい。しかしながら、好ましい一実施形態において、タイマが設定される値は、第１の構成と関連付けられる動作の遅延感度に反比例する。言い換えれば、好ましい一実施形態において、タイマが設定される値は、タイマが満了するまでノード１０が送信をブロックすべきプリファレンスインジケータの関数である。一例として、第１の構成が遅延に敏感な（または遅延耐性がない）動作と関連付けられる通常電力構成である場合、タイマが設定される値は小さく（すなわち、高電力効率構成のためのタイマに使用される値よりも小さく）てもよい。特定の一例として、第１の構成が遅延に敏感である動作と関連付けられる場合の第１の構成のためのプリファレンスインジケータに対するタイマの値は、０またはほぼ０秒（たとえば、１秒未満）であってもよい。
【００２４】
ステップ１００８においてタイマが始動すると、ノード１０はその後、ステップ１００８において始動したタイマが満了するまで、第１の構成のためのプリファレンスインジケータのノード１２への送信をブロックする（ステップ１０１０）。より詳細には、ノード１０における事象が、第１の構成のためのプリファレンスインジケータを送信しようとする試行をトリガし得る。たとえば、ノード１０のユーザは、ノード１０を通常モードにおき得る。それに応答して、ノード１０は、ワイヤレス接続の通常電力構成のためのプリファレンスインジケータをノード１２に送信しようと試行し得る。ステップ１００８において始動したタイマが満了していない場合、ノード１０は、通常電力構成のためのプリファレンスインジケータの送信をブロックする。このように、ノード１０からノード１２へのプリファレンスインジケータの過剰なシグナリングが防止される。タイマが満了した後の何らかの時点において、ノード１０は、ワイヤレス送信機１４によってノード１２に第１の構成のためのプリファレンスインジケータを送信する（ステップ１０１２）。言い換えれば、タイマが満了すると、ノード１０は、ノード１２への第１の構成のためのプリファレンスインジケータの送信を許可する。その後、プロセスは上述のように継続してもよい。
【００２５】
上述のように、図１は、タイマ（複数の場合もあり）が、ノード１０からノード１２へのプリファレンスインジケータの送信に応答して始動される実施形態を示す。しかしながら、別の実施形態において、タイマ（複数の場合もあり）は、ノード１０によって、ノード１２からプリファレンスインジケータと関連付けられる再構成要求が受信されることに応答して始動してもよい。したがって、一実施形態において、タイマ（複数の場合もあり）は、ノード１０によるプリファレンスインジケータの送信、または、ノード１０によるプリファレンスインジケータと関連付けられる再構成要求の受信のいずれかに応答して始動されてもよい。より詳細には、図２に示すように、ノード１０は、ノード１０のワイヤレス受信機１６によって、ノード１２から第１の構成のためのプリファレンスインジケータ（プリファレンスインジケータ１）と関連付けられる再構成要求を受信する（ステップ２０００）。その後、ノード１０は、再構成要求に応答してそれ自体を第１の構成向けに再構成する（ステップ２００２）。
【００２６】
第１の構成のためのプリファレンスインジケータと関連付けられる再構成要求の受信に応答して、ノード１０は、ノード１０がノード１２に第２の構成のためのプリファレンスインジケータ（プリファレンスインジケータ２）を送信することを許可される前に満了することが確実である時間量を規定する値に設定されているタイマを始動する（ステップ２００４）。上述のように、タイマが設定される値は、特定の実施態様に応じて変化し得る。一般に、タイマの値は、０以上の任意の値であってもよい。しかしながら、好ましい一実施形態において、タイマが設定される値は、第１の構成と関連付けられる動作の遅延感度に反比例する。言い換えれば、好ましい一実施形態において、タイマが設定される値は、タイマが満了するまでノード１０が送信をブロックすべきプリファレンスインジケータの関数である。タイマが始動すると、ノード１０はその後、ステップ２００４において始動したタイマが満了するまで、第２の構成のためのプリファレンスインジケータのノード１２への送信をブロックする（ステップ２００６）。このように、ノード１０からノード１２へのプリファレンスインジケータの過剰なシグナリングが防止される。タイマが満了した後の何らかの時点において、ノード１０は、ワイヤレス送信機１４によってノード１２に第２の構成のためのプリファレンスインジケータを送信する（ステップ２００８）。言い換えれば、タイマが満了すると、ノード１０は、ノード１２への第２の構成のためのプリファレンスインジケータの送信を許可する。
【００２７】
この実施形態において、ステップ２００８における第２の構成のためのプリファレンスインジケータの送信（または代替的に、ノード１２からの第２の構成のためのプリファレンスインジケータと関連付けられる再構成要求の受信）に応答して、ノード１０は、ノード１０がノード１２に第１の構成のためのプリファレンスインジケータ（プリファレンスインジケータ１）を送信することを許可される前に満了することが確実である時間量を規定する値に設定されているタイマを始動する（ステップ２０１０）。ここでも、タイマが設定される値は、特定の実施態様に応じて変化し得る。一般に、タイマの値は、０以上の任意の値であってもよい。しかしながら、好ましい一実施形態において、タイマが設定される値は、第１の構成と関連付けられる動作の遅延感度に反比例する。言い換えれば、好ましい一実施形態において、タイマが設定される値は、タイマが満了するまでノード１０が送信をブロックすべきプリファレンスインジケータの関数である。ステップ２０１０においてタイマが始動すると、ノード１０はその後、ステップ２０１０において始動したタイマが満了するまで、第１の構成のためのプリファレンスインジケータのノード１２への送信をブロックする（ステップ２０１２）。このように、ノード１０からノード１２へのプリファレンスインジケータの過剰なシグナリングが防止される。タイマが満了した後の何らかの時点において、ノード１０は、ワイヤレス送信機１４によってノード１２に第１の構成のためのプリファレンスインジケータを送信する（ステップ２０１４）。言い換えれば、タイマが満了すると、ノード１０は、ノード１２への第１の構成のためのプリファレンスインジケータの送信を許可する。その後、プロセスは上述のように継続してもよい。
【００２８】
図１および図２は、ワイヤレス送信機１４および１８ならびにワイヤレス受信機１６および２０を備えた任意のタイプのノード１０および１２に適用可能である実施形態を示しているが、図３〜図９は、セルラ通信ネットワーク２２における支援情報の過剰なシグナリングが回避される実施形態を示す。これらの実施形態について、セルラ通信ネットワーク２２は好ましくは、３ＧＰＰ  ＬＴＥセルラ通信ネットワークである。しかしながら、本明細書において開示されるシステムおよび方法はまた、他のタイプのセルラ通信ネットワークにも使用することができることは諒解されたい。これに関して、図３は、セルラ通信ネットワーク２２内の基地局（ＢＳ）２４およびワイヤレスデバイス（ＷＤ）２６を示す。ＬＴＥに関して、基地局２４はｅＮＢとも称され、ワイヤレスデバイス２６はＵＥとも称される。基地局２４は代替的に、低電力基地局（たとえばピコまたはフェムト基地局）であってもよいことに留意されたい。
【００２９】
図４は、本開示の一実施形態による、図３のワイヤレスデバイス２６の、過剰なシグナリングを回避するやり方で基地局２４に支援情報をシグナリングするための動作を示す。図示のように、ワイヤレスデバイス２６は、高電力効率構成のためのプリファレンスインジケータを、基地局２４に送信する（ステップ３０００）。高電力効率構成のためのプリファレンスインジケータは好ましくは、高電力効率ＤＲＸ構成のためのプリファレンスインジケータであり、これは好ましくは、１つまたは複数の遅延に敏感でない、または遅延耐性がある動作と関連付けられる。特定の実施形態において、高電力効率構成は、ＵＥが別様に動作する通常構成（デフォルト構成など）よりも、ＵＥが少ない電力を消費し、かつ／または他の様態でより電力効率的に動作する構成を表す。一実施形態において、高電力効率構成のためのプリファレンスインジケータは、高電力効率構成のためのプリファレンスインジケータ、および、通常、またはデフォルト電力構成のためのプリファレンスインジケータを含む、所定のプリファレンスインジケータセットのうちの１つである。さらに、プリファレンスインジケータは任意の適切なメカニズムを使用して送信されてもよいが、一実施形態において、プリファレンスインジケータは、無線リソース制御（ＲＲＣ）または媒体アクセス制御（ＭＡＣ）メッセージを介して送信される。
【００３０】
図示されていないが、基地局２４は、ワイヤレスデバイス２６からのプリファレンスインジケータを利用して、ワイヤレス接続を再構成すべきか否かを判断する。好ましい一実施形態において、基地局２４は、ワイヤレスデバイス２６からのプリファレンスインジケータを利用して、種々のタイプのサービス、たとえばボイスオーバーインターネットプロトコル（ＶｏＩＰ）、ビデオ電話通信、ゲーミング、ウェブ閲覧などに適している複数の所定のＤＲＸパラメータセットから１つのＤＲＸパラメータセットを選択する。しかしながら、基地局２４はプリファレンスインジケータの受信に応答して必ずしもワイヤレス接続を再構成するとは限らないことに留意されたい。基地局２４の判断は、追加の要因に基づいて行われてもよい。
【００３１】
基地局２４への高電力効率構成のためのプリファレンスインジケータの送信に応答して、ワイヤレスデバイス２６は、ワイヤレスデバイス２６が基地局２４に通常電力構成のためのプリファレンスインジケータを送信することを許可される前に満了することが確実である時間量を規定する値に設定されているタイマを始動する（ステップ３００２）。通常電力構成のためのプリファレンスインジケータは好ましくは、通常電力ＤＲＸ構成のためのプリファレンスインジケータであり、これは好ましくは、１つまたは複数の遅延に敏感である、または遅延耐性のない動作と関連付けられる。タイマが設定される値は、特定の実施態様に応じて変化し得る。一般に、タイマの値は、０以上の任意の値であってもよい。しかしながら、好ましい一実施形態において、タイマが設定される値は、通常電力構成と関連付けられる動作の遅延感度に反比例する。この実施形態において、通常電力構成は遅延に敏感である１つまたは複数の動作と関連付けられ、そのため、タイマが設定される値は小さい（すなわち、高電力効率構成に使用される値よりも小さい）。一例として、ステップ３００２においてタイマが設定される値は０または０に近い何らかの値（たとえば、１秒未満の値）であってもよい。このように、高電力効率構成から通常電力構成への切り替えのためのトリガ事象が発生するとき、基地局２４に通常電力構成のためのプリファレンスインジケータを送信するまでの遅延が小さいか、または遅延がない。
【００３２】
タイマが始動すると、ワイヤレスデバイス２６はその後、ステップ３００２において始動したタイマが満了するまで、通常電力構成のためのプリファレンスインジケータの基地局２４への送信をブロックする（ステップ３００４）。より詳細には、ワイヤレスデバイス２６における事象が、通常電力構成のためのプリファレンスインジケータを送信しようとする試行をトリガし得る。たとえば、ワイヤレスデバイス２６のユーザは、ワイヤレスデバイス２６を、高電力効率動作モードから通常電力動作モードへと切り替えてもよい。それに応答して、ワイヤレスデバイス２６は、通常電力構成のためのプリファレンスインジケータを送信しようと試行し得る。ステップ３００２において始動したタイマが満了していない場合、ワイヤレスデバイス２６は、通常電力構成のためのプリファレンスインジケータの送信をブロックする。このように、ワイヤレスデバイス２６から基地局２４へのプリファレンスインジケータの過剰なシグナリングが防止される。タイマが満了した後の何らかの時点において、ワイヤレスデバイス２６は、基地局２４に通常電力構成のためのプリファレンスインジケータを送信する（ステップ３００６）。言い換えれば、タイマが満了すると、ワイヤレスデバイス２６は、基地局２４への通常電力構成のためのプリファレンスインジケータの送信を許可する。
【００３３】
この実施形態において、ステップ３００６における通常電力構成のためのプリファレンスインジケータの送信に応答して、ワイヤレスデバイス２６は、ワイヤレスデバイス２６が基地局２４に高電力効率構成のためのプリファレンスインジケータを送信することを許可される前に満了することが確実である時間量を規定する値に設定されているタイマを始動する（ステップ３００８）。特に、ステップ３００８のためのタイマは好ましくは、上記ステップ３００２および３００４に使用したものと同じタイマであるが、異なる値に設定される。タイマが設定される値は、特定の実施態様に応じて変化し得る。一般に、タイマの値は、０以上の任意の値であってもよい。しかしながら、好ましい一実施形態において、タイマが設定される値は、高電力効率構成と関連付けられる動作の遅延感度に反比例する。この実施形態において、高電力効率構成と関連付けられる１つまたは複数の動作は遅延に敏感ではなく、そのため、タイマが設定される値は大きい（すなわち、通常電力構成に使用される値よりも大きい）。一例として、ステップ３００８においてタイマが設定される値は数十または数百秒であってもよい。
【００３４】
ステップ３００８においてタイマが始動すると、ワイヤレスデバイス２６はその後、ステップ３００８において始動したタイマが満了するまで、高電力効率構成のためのプリファレンスインジケータの基地局２４への送信をブロックする（ステップ３０１０）。より詳細には、ワイヤレスデバイス２６における事象が、高電力効率構成のためのプリファレンスインジケータを送信しようとする試行をトリガし得る。たとえば、ワイヤレスデバイス２６のユーザは、ワイヤレスデバイス２６を、通常動作モードから高電力効率動作モードへと切り替えてもよい。それに応答して、ワイヤレスデバイス２６は、ワイヤレス接続の高電力効率構成のためのプリファレンスインジケータを送信しようと試行し得る。ステップ３００８において始動したタイマが満了していない場合、ワイヤレスデバイス２６は、高電力効率構成のためのプリファレンスインジケータの送信をブロックする。このように、ワイヤレスデバイス２６から基地局２４へのプリファレンスインジケータの過剰なシグナリングが防止される。タイマが満了した後の何らかの時点において、ワイヤレスデバイス２６は、基地局２４に高電力効率構成のためのプリファレンスインジケータを送信する（ステップ３０１２）。言い換えれば、タイマが満了すると、ワイヤレスデバイス２６は、基地局２４への高電力効率構成のためのプリファレンスインジケータの送信を許可する。その後、プロセスは上述のように継続してもよい。
【００３５】
上述のように、図４は、タイマ（複数の場合もあり）が、ワイヤレスデバイス２６から基地局２４へのプリファレンスインジケータの送信に応答して始動される実施形態を示す。しかしながら、別の実施形態において、タイマ（複数の場合もあり）は、ワイヤレスデバイス２６によって、基地局２４からプリファレンスインジケータと関連付けられる再構成要求が受信されることに応答して始動してもよい。したがって、一実施形態において、タイマ（複数の場合もあり）は、プリファレンスインジケータの送信、または、プリファレンスインジケータと関連付けられる再構成要求の受信のいずれかに応答して始動されてもよい。
【００３６】
先へ進む前に、高電力効率および通常電力構成のためのプリファレンスインジケータは、より大きいプリファレンスインジケータセットの一部であってもよいことに留意すべきである。各プリファレンスインジケータは、基地局２４における異なる構成パラメータ値セットに対応し得る。この事例において、上記タイマまたは複数の異なるタイマが、複数の異なる値に設定されてもよく、所望に応じて他のプリファレンスインジケータの過剰な送信をブロックするのに利用されてもよい。しかしながら、一実施形態において、プリファレンスインジケータのうちの１つまたは複数に対してタイマが利用されなくてもよい。言い換えれば、所定のセットのうちのすべてのプリファレンスインジケータに関して過剰なシグナリングをブロックするために上記タイマまたは何らかの他のタイマが使用される必要はない。
【００３７】
図５〜図７は、本開示の別の実施形態による、図３のワイヤレスデバイス２６の、支援情報の過剰なシグナリングを回避するための動作を示す。図５〜図７の実施形態は、ワイヤレスデバイス２６が、支援情報の送信をブロックするか、または対応するタイマに基づいて支援情報の送信を開始する支援情報手順を利用して、プリファレンスインジケータを含む支援情報の過剰なシグナリングをブロックするより詳細な実施形態を示す。より詳細には、図５に示されているように、ワイヤレスデバイス２６は、基地局２４への接続を確立する（ステップ４０００）。ワイヤレスデバイス２６は、ランダムアクセス手順または任意の他の適切な手順を使用して、基地局２４への接続を確立することができる。
【００３８】
接続されると、ワイヤレスデバイス２６は、１つまたは複数のタイマ値を含む構成情報を、基地局２４から受信する（ステップ４００２）。構成情報は、たとえば、初期のＤＲＸパラメータ値セットなどの、ワイヤレスデバイス２６と基地局２４との間のワイヤレス接続に関する任意の適切な構成情報を含む。加えて、構成情報は、後述するように、ワイヤレスデバイス２６によって、支援情報の過剰なシグナリングをブロックするために利用されるべき１つまたは複数のタイマ値を含む。
【００３９】
適切なトリガ事象に応答して、ワイヤレスデバイス２６は支援情報手順を開始する（ステップ４００４）。トリガ事象は一般に、ワイヤレスデバイス２６に、パワープリファレンスインジケータを含む支援情報を基地局２４に送信するよう試行させる任意の事象である。たとえば、トリガ事象は、ワイヤレスデバイス２６を通常電力モードから高電力効率モードへ、またはその逆に切り替える、ワイヤレスデバイス２６のユーザからのユーザ入力であってもよい。別の例として、トリガ事象は、遅延に敏感でないアプリケーション（たとえば、ソーシャルネットワーキングアプリケーション）がアクティブなままである間に、遅延敏感アプリケーションを終了すること（たとえば、ＶｏＩＰセッションを終えること）であってもよい。しかしながら、これらのトリガ事象は例に過ぎないことに留意されたい。当業者には諒解されるように、支援情報手順のためのトリガ事象は、ワイヤレスデバイス２６の特定の実施態様に応じて変化することになる。
【００４０】
開始すると、ワイヤレスデバイス２６は、支援情報手順を実施する（ステップ４００６）。下記に詳細に説明されるように、支援情報手順を実施することによって、ワイヤレスデバイス２６は、支援情報の送信をブロックすべきか、または許可すべきかを判定する。この例において、支援情報手順を使用して、ワイヤレスデバイス２６は、支援情報の送信を許可するよう判断する。結果として、ワイヤレスデバイス２６は、パワープリファレンスインジケータを含む支援情報を、基地局２４に送信する（ステップ４００８）。図示されていないが、基地局２４は、支援情報内のパワープリファレンスインジケータに基づいて、ワイヤレスデバイス２６に対するワイヤレス接続（たとえば、ＤＲＸパラメータ）を再構成すべきか否かを判断する。
【００４１】
支援情報が送信された後の何らかの時点において、ワイヤレスデバイス２６は、トリガ事象に応答して支援情報手順を再び開始する（ステップ４０１０）。ここでも、トリガ事象は一般に、ワイヤレスデバイス２６に、パワープリファレンスインジケータを含む支援情報を基地局２４に送信するよう試行させる任意の事象である。支援情報手順が開始すると、ワイヤレスデバイス２６は、支援情報の送信をブロックすべきか、または許可すべきかを判断するために支援情報手順を実施する（ステップ４０１２）。この例において、支援情報手順を使用して、ワイヤレスデバイス２６は、支援情報の送信をブロックするよう判断する（ステップ４０１４）。その後、このプロセスは継続する。
【００４２】
図６は、本開示の一実施形態による、図５のステップ４００６および４０１２の支援情報手順をより詳細に示す流れ図である。支援情報手順が開始すると、ワイヤレスデバイス２６は、ワイヤレスデバイス２６が支援情報を送信するように構成されているか否かを判定する（ステップ５０００）。より詳細には、いくつかの基地局２４が支援情報の送信を許可し得、一方で他の基地局２４は許可しない。そのため、図５のステップ４００２においてワイヤレスデバイス２６によって受信される構成情報は、ワイヤレスデバイス２６が支援情報を送信するように構成されているか否かの指示を含んでもよい。ワイヤレスデバイスが支援情報を送信するように構成されていないとき、手順は終了し、この場合、支援情報は送信されない。
【００４３】
ワイヤレスデバイス２６が支援情報を送信するように構成されている場合、ワイヤレスデバイス２６は、ワイヤレスデバイス２６が支援情報を送信するように構成されて以来、ワイヤレスデバイス２６がパワープリファレンスインジケータを送信したか否かを判定する（ステップ５００２）。そうでない場合、プロセスはステップ５０１０に進み、ワイヤレスデバイス２６が支援情報の送信を開始する。一方、ワイヤレスデバイス２６が支援情報を送信するように構成されて以来、ワイヤレスデバイス２６がパワープリファレンスインジケータを送信している場合、ワイヤレスデバイス２６は、ワイヤレスデバイス２６が送信することを所望するパワープリファレンスインジケータ（すなわち、現在のパワープリファレンスインジケータ）が、ワイヤレスデバイス２６によって送信された最新のパワープリファレンスインジケータと異なるか否かを判定する（ステップ５００４）。そうである場合、ワイヤレスデバイス２６は、タイマが満了しているか否かを判定する（５００６）。後述するように、タイマは、ワイヤレスデバイス２６によるパワープリファレンスインジケータの以前の送信に応答して、または代替的に、パワープリファレンスインジケータと関連付けられる再構成要求の受信に応答して始動されている。タイマが満了していない場合、ワイヤレスデバイス２６は、現在のプリファレンスインジケータを含む支援情報の送信をブロックし（ステップ５００８）、その後プロセスは終了する。一方、タイマが満了している場合、ワイヤレスデバイス２６は、現在のプリファレンスインジケータを含む支援情報の送信を開始する（ステップ５０１０）。
【００４４】
ステップ５００４に戻って、現在のパワープリファレンスインジケータが、ワイヤレスデバイス２６によって送信された最新のパワープリファレンスインジケータと異ならない場合、ワイヤレスデバイス２６は、ｍｏｂｉｌｉｔｙＣｏｎｔｒｏｌＩｎｆｏ（モビリティ制御情報）を含むＲＲＣＣｏｎｎｅｃｔｉｏｎＲｅｃｏｎｆｉｇｕｒａｔｉｏｎ（ＲＲＣ接続再構成）を受信する前の最後の１秒の間にワイヤレスデバイス２６がパワープリファレンスインジケータを送信したか否かを判定する（ステップ５０１２）。そうでない場合、ワイヤレスデバイス２６は、現在のパワープリファレンスインジケータを含む支援情報の送信をブロックする（ステップ５００８）。送信していた場合、ワイヤレスデバイス２６は、現在のパワープリファレンスインジケータを含む支援情報の送信を開始する（ステップ５０１０）。特に、ステップ５０１２の判断は、たとえば、ワイヤレスデバイス２６が、上記基地局２４にハンドオーバする直前に以前の基地局２４に、パワープリファレンスインジケータを含む支援情報を送信していたシナリオにおいて有益である。その場合、ハンドオーバ後に、上記基地局２４に同じパワープリファレンスインジケータを繰り返し送信することが有益であり得る。
【００４５】
図７は、本開示の一実施形態による、図６のステップ５０１０における支援情報の送信の開始に応答してワイヤレスデバイス２６によって実施される支援情報送信プロセスを示す。最初に、ワイヤレスデバイス２６は、ワイヤレスデバイス２６の現在のパワープリファレンスインジケータが、高電力効率構成のためのインジケータであるか否かを判定する（ステップ６０００）。そうでない場合、現在のパワープリファレンスインジケータは、通常電力構成のためのプリファレンスインジケータである。そのため、ワイヤレスデバイス２６は、ワイヤレスデバイス２６が高電力効率構成のためのプリファレンスインジケータを含む支援情報の送信を許可される前に満了することが確実である時間量を規定する値を有するタイマを始動する（ステップ６００２）。タイマの値は好ましくは、図５のステップ４００２において受信される構成情報の一部として基地局２４からワイヤレスデバイス２６に通信され、高電力効率構成と関連付けられる１つまたは複数の動作の遅延感度に反比例する。ワイヤレスデバイス２６はまた、送信されるべきユーザ情報内のパワープリファレンスインジケータを、通常電力構成のためのプリファレンスインジケータに設定し、その後、支援情報を送信する（ステップ６００４および６００６）。パワープリファレンスインジケータは、支援情報内に１つまたは複数のビットを設定することによって設定されてもよい。さらに、支援情報は、たとえば、ＲＲＣまたはＭＡＣメッセージなどの任意の適切なメカニズムを使用して送信されてもよい。
【００４６】
ステップ６０００に戻って、現在のパワープリファレンスインジケータが高電力効率構成のためのプリファレンスインジケータである場合、ワイヤレスデバイス２６は任意選択的に、ワイヤレスデバイス２６がデフォルト、または通常電力構成のためのプリファレンスインジケータを送信することを許可される前に満了することが確実である時間量を規定する値を有するタイマを始動する（ステップ６００８）。タイマの値は、通常電力構成と関連付けられる１つまたは複数の動作の遅延感度に反比例する。この実施形態において、通常電力構成は遅延に敏感である、または遅延耐性がない１つまたは複数の動作（たとえば、ＶｏＩＰ）と関連付けられ、そのため、タイマが設定される値は小さいか、またはさらには０である。一実施形態において、ワイヤレスデバイス２６が通常電力構成のためのプリファレンスインジケータを送信することを許可される前に満了することが確実である時間量の値は０であり、そのため、ステップ６００８は実施される必要がない場合がある。特に、タイマの値が非ゼロ値である場合、タイマの値は好ましくは、図５のステップ４００２において受信される構成情報の一部として基地局２４からワイヤレスデバイス２６に通信される。ワイヤレスデバイス２６は、支援情報内のパワープリファレンスインジケータを、高電力効率構成のためのプリファレンスインジケータに設定し、その後、支援情報を送信する（ステップ６０１０および６００６）。
【００４７】
図６および図７のプロセスを例示するために、ワイヤレスデバイス２６が、通常電力構成のためのプリファレンスインジケータを含む支援情報を送信するシナリオを考える。高電力効率構成への切り替えは時間に敏感でないため、タイマは、プリファレンスインジケータを含む支援情報の送信に応答して相対的に大きい値（たとえば、数十または数百秒）に設定される。その後、トリガ事象に応答して、ワイヤレスデバイス２６は図６の支援情報プロセスを開始する。トリガ事象が高電力効率構成のためのプリファレンスインジケータと関連付けられる場合、ワイヤレスデバイス２６は、現在のパワープリファレンスインジケータ（すなわち、高電力効率構成のためのパワープリファレンスインジケータ）が、ワイヤレスデバイス２６によって送信された最新のパワープリファレンスインジケータ（すなわち、通常電力構成のためのプリファレンスインジケータ）と異なると判定する。そのため、その後、ワイヤレスデバイス２６は、タイマが満了しているか否かを判定する。そうでない場合、現在のプリファレンスインジケータを含む支援情報の送信がブロックされる。一方、タイマが満了している場合、ワイヤレスデバイス２６は図７の送信プロセスを開始する。
【００４８】
送信プロセスが開始される場合、ワイヤレスデバイス２６は、現在のパワープリファレンスインジケータが高電力効率構成のためのものであると判定する。この例において、通常電力構成のためのプリファレンスインジケータの送信をブロックするためのタイマの値が０であると仮定すると、ワイヤレスデバイス２６はタイマを設定および始動する必要はない（０の値を有するタイマを始動することと等価である）。その後、ワイヤレスデバイス２６は、送信されるべき支援情報内のパワープリファレンスインジケータを、パワープリファレンスインジケータのためのプリファレンスインジケータに設定し、支援情報を基地局２４に送信する。
【００４９】
その後、通常電力構成のためのプリファレンスインジケータと関連付けられる事象によって支援情報手順がトリガされると、現在のプリファレンスインジケータは、ワイヤレスデバイス２６によって送信された最新のプリファレンスインジケータ（すなわち、高電力効率構成のためのプリファレンスインジケータ）と異なり、かつタイマが満了しているため、支援情報手順は、支援情報の送信を開始する。結果として、図７の送信手順を使用して、ワイヤレスデバイス２６は、高電力効率構成のためのプリファレンスインジケータの送信前に満了することが確実である時間量を規定する値を有するタイマを始動し、支援情報のパワープリファレンスインジケータを、通常電力構成のためのインジケータに設定し、支援情報を送信する。その後、プロセスはこのように継続する。
【００５０】
図８は、本開示の一実施形態による図３のワイヤレスデバイス２６のブロック図である。図示のように、ワイヤレスデバイス２６は、ワイヤレス送信機３０およびワイヤレス受信機３２（すなわち、無線周波数（ＲＦ）送信機３０およびＲＦ受信機３２）を有する無線サブシステム２８と、処理サブシステム３４とを含む。ワイヤレス送信機３０およびワイヤレス受信機３２は、基地局２４（図３）にデータを送信するための、および、基地局２４からデータを受信するためのアナログ構成要素、および、いくつかの実施形態においてデジタル構成要素を含む。ワイヤレス通信プロトコルの観点から、無線サブシステム２８は、レイヤ１（すなわち、物理層または「ＰＨＹ」層）の少なくとも一部を実装する。
【００５１】
処理サブシステム３４は一般に、レイヤ１の任意の残りの部分、ならびにワイヤレス通信プロトコルのより上位のレイヤ（たとえば、レイヤ２（データリンク層）、レイヤ３（ネットワーク層）など）に関する機能を実装する。特定の実施形態において、処理サブシステム３４は、たとえば、本明細書において説明されているワイヤレスデバイス２６の機能のいくつかまたはすべてを実行するための適切なソフトウェアおよび／またはファームウェアをプログラムされている、１つもしくはいくつかの汎用もしくは専用マイクロプロセッサ、または、他のマイクロコントローラを含んでもよい。加えて、または代替的に、処理サブシステム３４は、本明細書において説明されているワイヤレスデバイス２６の機能のいくつかまたはすべてを実行するように構成されている様々なデジタルハードウェアブロック（たとえば、１つまたは複数の特定用途向け集積回路（ＡＳＩＣ）、１つもしくは複数の市販のデジタルおよびアナログハードウェア構成要素、またはそれらの組み合わせ）を含んでもよい。加えて、特定の実施形態において、ワイヤレスデバイス２６の上述した機能は、全体的にまたは部分的に、ランダムアクセスメモリ（ＲＡＭ）、読み出し専用メモリ（ＲＯＭ）、磁気記憶デバイス、光学記憶デバイス、または任意の他の適切なタイプのデータ記憶構成要素などの、持続性コンピュータ可読媒体に記憶されているソフトウェアまたは他の命令を実行する処理サブシステム３４によって実装されてもよい。無論、機能プロトコル層、ならびに、したがって無線サブシステム２８および処理サブシステム３４の各々の詳細な動作は、特定の実施態様およびワイヤレスデバイス２６によってサポートされる１つまたは複数の規格の両方に応じて変化することになる。
【００５２】
図９は、本開示の一実施形態による図３の基地局２４のブロック図である。図示のように、基地局２４は、ワイヤレス送信機３８（すなわち、ＲＦ送信機）およびワイヤレス受信機４０（すなわち、ＲＦ受信機）を有する無線サブシステム３６と、処理サブシステム４２とを含む。ワイヤレス送信機３８およびワイヤレス受信機４０は一般に、対応するセル内のワイヤレスデバイス（たとえば、ワイヤレスデバイス２６）にデータを送信するための、および、当該ワイヤレスデバイスからデータを受信するためのアナログ構成要素、および、いくつかの実施形態においてデジタル構成要素を含む。ワイヤレス通信プロトコルの観点から、無線サブシステム３６は、レイヤ１（すなわち、物理層または「ＰＨＹ」層）の少なくとも一部を実装する。
【００５３】
処理サブシステム４２は一般に、無線サブシステム３６において実装されないレイヤ１の任意の残りの部分、ならびに、ワイヤレス通信プロトコルのより上位のレイヤ（たとえば、レイヤ２（データリンク層）、レイヤ３（ネットワーク層）など）に関する機能を実装する。特定の実施形態において、処理サブシステム４２は、たとえば、本明細書において説明されている基地局２４の機能のいくつかまたはすべてを実行するための適切なソフトウェアおよび／またはファームウェアをプログラムされている、１つもしくはいくつかの汎用もしくは専用マイクロプロセッサ、または、他のマイクロコントローラを含んでもよい。加えて、または代替的に、処理サブシステム４２は、本明細書において説明されている基地局２４の機能のいくつかまたはすべてを実行するように構成されている様々なデジタルハードウェアブロック（たとえば、１つもしくは複数のＡＳＩＣ、１つもしくは複数の市販のデジタルおよびアナログハードウェア構成要素、またはそれらの組み合わせ）を含んでもよい。加えて、特定の実施形態において、基地局２４の上述した機能は、全体的にまたは部分的に、ＲＡＭ、ＲＯＭ、磁気記憶デバイス、光学記憶デバイス、または任意の他の適切なタイプのデータ記憶構成要素などの、持続性コンピュータ可読媒体に記憶されているソフトウェアまたは他の命令を実行する処理サブシステム４２によって実装されてもよい。
【００５４】
本開示全体を通じて、以下の頭字語が使用されている。
・３ＧＰＰ  第３世代パートナーシッププロジェクト
・ＡＳＩＣ  特定用途向け集積回路
・ＢＳ  基地局
・ＤＲＸ  不連続受信
・ｅＤＤＡ  多様なデータアプリケーションに対する強化
・ｅＮＢ  ｅノードＢ
・Ｅ−ＵＴＲＡＮ  進化型ユニバーサル地上無線アクセスネットワーク
・ＬＴＥ  ロングタームエボリューション
・ＭＡＣ  媒体アクセス制御
・ＲＡＭ  ランダムアクセスメモリ
・ＲＡＮ  無線アクセスネットワーク
・Ｒｅｌ−１１  リリース１１
・ＲＦ  無線周波数
・ＲＯＭ  読み出し専用メモリ
・ＲＲＣ  無線リソース制御
・ＲＸ  受信または受信機
・ＳＡＥ  システムアーキテクチャエボリューション
・ＴＳ  技術仕様書
・ＴＸ  送信または送信機
・ＵＥ  ユーザ機器またはユーザ要素
・ＶｏＩＰ  ボイスオーバーインターネットプロトコル
・ＷＣＤＭＡ  広帯域符号分割多元接続
・ＷＤ  ワイヤレスデバイス
・ＷＧ２  ワークグループ２
・ＷＩ  作業項目
【００５５】
当業者であれば、本発明の好ましい実施形態に対する改善点および修正点を認識しよう。すべてのそのような改善点および修正点が、本明細書において開示されている概念および添付の特許請求項の範囲内にあると考えられる。
【図１】
2015530017.tif 000003
【図２】
2015530017.tif 000004
【図３】
2015530017.tif 000005
【図４】
2015530017.tif 000006
【図５】
2015530017.tif 000007
【図６】
2015530017.tif 000008
【図７】
2015530017.tif 000009
【図８】
2015530017.tif 000010
【図９】
2015530017.tif 000011
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
ワイヤレス送信機（３０）およびワイヤレス受信機（３２）を備える、セルラ通信ネットワーク（２２）内のワイヤレスデバイス（２６）を動作させる方法であって、
前記ワイヤレス送信機（３０）による第１の構成のためのプリファレンスインジケータの送信、および、前記第１の構成のための前記プリファレンスインジケータと関連付けられる再構成要求の受信から構成される群のうちの１つに応答してタイマを始動するステップであって、前記タイマは、前記ワイヤレスデバイス（２６）が前記第１の構成とは異なる第２の構成のためのプリファレンスインジケータの送信を許可されるまでの時間量を規定する値に設定される、ステップと、
前記タイマが満了するまで、前記第２の構成のための前記プリファレンスインジケータの送信をブロックするステップと
を含む、方法。
【請求項２】
前記ワイヤレスデバイス（２６）が前記第２の構成のための前記プリファレンスインジケータの送信を許可されるまでの前記時間量を規定する前記値は、前記第２の構成と関連付けられる動作の遅延感度に反比例する、請求項１に記載の方法。
【請求項３】
前記タイマを始動するステップは、前記ワイヤレス送信機（３０）による前記第１の構成のための前記プリファレンスインジケータの送信に応答して前記タイマを始動するステップを含む、請求項１に記載の方法。
【請求項４】
前記タイマを始動するステップは、前記ワイヤレス受信機（３２）による前記第１の構成のための前記プリファレンスインジケータと関連付けられる前記再構成要求の受信に応答して前記タイマを始動するステップを含む、請求項１に記載の方法。
【請求項５】
前記タイマが満了した後、前記ワイヤレス送信機（３０）によって前記第２の構成のための前記プリファレンスインジケータを送信するステップをさらに含む、請求項１に記載の方法。
【請求項６】
前記第２の構成のための前記プリファレンスインジケータの送信に応答して、前記ワイヤレスデバイス（２６）が前記第１の構成のための前記プリファレンスインジケータの送信を許可されるまでの時間量を規定する値に設定されているタイマを始動するステップと、
前記ワイヤレスデバイス（２６）が前記第１の構成のための前記プリファレンスインジケータの送信を許可されるまでの前記時間量を規定する前記値に設定されている前記タイマが満了するまで、前記第１の構成のための前記プリファレンスインジケータの送信をブロックするステップと
をさらに含む、請求項５に記載の方法。
【請求項７】
前記ワイヤレスデバイス（２６）が前記第１の構成のための前記プリファレンスインジケータの送信を許可されるまでの前記時間量を規定する前記値は、前記ワイヤレスデバイス（２６）が前記第２の構成のための前記プリファレンスインジケータの送信を許可されるまでの前記時間量を規定する前記値とは異なる、請求項６に記載の方法。
【請求項８】
前記ワイヤレスデバイス（２６）が前記第１の構成のための前記プリファレンスインジケータの送信を許可されるまでの前記時間量を規定する前記値に設定されている前記タイマは、前記ワイヤレスデバイス（２６）が前記第２の構成のための前記プリファレンスインジケータの送信を許可されるまでの前記時間量を規定する前記値に設定されているものと同じタイマであり、
前記ワイヤレスデバイス（２６）が前記第１の構成のための前記プリファレンスインジケータの送信を許可されるまでの前記時間量を規定する前記値は、前記ワイヤレスデバイス（２６）が前記第２の構成のための前記プリファレンスインジケータの送信を許可されるまでの前記時間量を規定する前記値とは異なる、請求項６に記載の方法。
【請求項９】
前記ワイヤレスデバイス（２６）が前記第１の構成のための前記プリファレンスインジケータの送信を許可されるまでの前記時間量を規定する前記値に設定されている前記タイマが満了した後、前記ワイヤレス送信機（３０）によって前記第１の構成のための前記プリファレンスインジケータを送信するステップをさらに含む、請求項６に記載の方法。
【請求項１０】
前記第１の構成のための前記プリファレンスインジケータは、通常電力構成のためのプリファレンスインジケータであり、前記第２の構成のための前記プリファレンスインジケータは、高電力効率構成のためのプリファレンスインジケータであり、前記ワイヤレスデバイス（２６）は、前記高電力効率構成において動作するときは、前記通常電力構成において動作するよりも動作中の消費電力が少ない、請求項１に記載の方法。
【請求項１１】
前記通常電力構成および前記高電力効率構成は、接続状態にある間の前記ワイヤレスデバイス（２６）の不連続受信動作モードのための構成である、請求項１０に記載の方法。
【請求項１２】
前記タイマを始動するステップは、前記ワイヤレス送信機（３０）による前記高電力効率構成のための前記プリファレンスインジケータの送信に応答して前記タイマを始動するステップを含む、請求項１０に記載の方法。
【請求項１３】
前記タイマを始動するステップは、前記ワイヤレス受信機（３２）による前記通常電力構成のための前記プリファレンスインジケータと関連付けられる再構成要求の受信に応答して前記タイマを始動するステップを含む、請求項１０に記載の方法。
【請求項１４】
前記タイマが満了した後、前記ワイヤレス送信機（３０）によって前記高電力効率構成のための前記プリファレンスインジケータを送信するステップをさらに含む、請求項１０に記載の方法。
【請求項１５】
前記第１の構成のための前記プリファレンスインジケータは、高電力効率構成のためのプリファレンスインジケータであり、前記第２の構成のための前記プリファレンスインジケータは、通常電力構成のためのプリファレンスインジケータであり、前記ワイヤレスデバイス（２６）は、前記高電力効率構成において動作するときは、動作中の消費電力がより少ない、請求項１に記載の方法。
【請求項１６】
前記通常電力構成および前記高電力効率構成は、接続状態にある間の前記ワイヤレスデバイス（２６）の不連続受信動作モードのための構成である、請求項１５に記載の方法。
【請求項１７】
前記タイマを始動するステップは、前記ワイヤレス送信機（３０）による前記高電力効率構成のための前記プリファレンスインジケータの送信に応答して前記タイマを始動するステップを含む、請求項１５に記載の方法。
【請求項１８】
前記タイマを始動するステップは、前記ワイヤレス受信機（３２）による前記高電力効率構成のための前記プリファレンスインジケータと関連付けられる再構成要求の受信に応答して前記タイマを始動するステップを含む、請求項１５に記載の方法。
【請求項１９】
前記タイマが満了した後、前記ワイヤレス送信機（３０）によって前記通常電力構成のための前記プリファレンスインジケータを送信するステップをさらに含む、請求項１５に記載の方法。
【請求項２０】
前記通常電力構成のための前記プリファレンスインジケータの送信に応答して、前記ワイヤレスデバイス（２６）が前記高電力効率構成のための前記プリファレンスインジケータの送信を許可されるまでの時間量を規定する値に設定されているタイマを始動するステップと、
前記ワイヤレスデバイス（２６）が前記高電力効率構成のための前記プリファレンスインジケータの送信を許可されるまでの前記時間量を規定する前記値に設定されている前記タイマが満了するまで、前記高電力効率構成のための前記プリファレンスインジケータの送信をブロックするステップと
をさらに含む、請求項１９に記載の方法。
【請求項２１】
前記ワイヤレスデバイス（２６）が前記高電力効率構成のための前記プリファレンスインジケータの送信を許可されるまでの前記時間量を規定する前記値に設定されている前記タイマが満了した後、前記ワイヤレス送信機（３０）によって前記高電力効率構成のための前記プリファレンスインジケータを送信するステップをさらに含む、請求項２０に記載の方法。
【請求項２２】
前記タイマが満了するまで、前記第２の構成のための前記プリファレンスインジケータの送信をブロックするステップは、
支援情報手順を開始するステップと、
所望の電力構成のためのプリファレンスインジケータを含む支援情報の送信をブロックすべきか、または開始すべきかを判定するために前記支援情報手順を実施するステップと
を含む、請求項１に記載の方法。
【請求項２３】
前記タイマを始動するステップは、前記ワイヤレス送信機（３０）による前記第１の構成のための前記プリファレンスインジケータの送信に応答して前記タイマを始動するステップを含む、請求項２２に記載の方法。
【請求項２４】
前記支援情報手順を実施するステップは、
前記所望の電力構成のための前記プリファレンスインジケータが、前記第１の構成のための前記プリファレンスインジケータと異なる前記第２の構成のための前記プリファレンスインジケータであるか否かを判定するステップと、
前記所望の電力構成のための前記プリファレンスインジケータが前記第２の構成のための前記プリファレンスインジケータである場合、
前記タイマが満了したか否かを判定するステップと、
前記タイマが満了していない場合、前記第２の構成のための前記プリファレンスインジケータを含む前記支援情報の送信をブロックするステップと、
前記タイマが満了している場合、前記第２の構成のための前記プリファレンスインジケータを含む前記支援情報の送信を開始するステップと
を含む、請求項２３に記載の方法。
【請求項２５】
前記支援情報の送信の開始に応答して、
前記第２の構成のための前記プリファレンスインジケータが高電力効率構成のためのプリファレンスインジケータであるか否かを判定するステップと、
前記プリファレンスインジケータが前記高電力効率構成のための前記プリファレンスインジケータである場合、
前記支援情報のパワープリファレンスインジケータを、前記高電力効率構成のための前記プリファレンスインジケータに設定するステップと、
前記ワイヤレス送信機（３０）によって前記パワープリファレンスインジケータを含む前記支援情報を送信するステップと
をさらに含む、請求項２４に記載の方法。
【請求項２６】
前記第１の構成のための前記プリファレンスインジケータは、通常電力構成のためのプリファレンスインジケータであり、前記第２の構成のための前記プリファレンスインジケータは、前記高電力効率構成のための前記プリファレンスインジケータであり、前記ワイヤレスデバイス（２６）は、前記高電力効率構成において動作するときは、前記通常電力構成において動作するよりも動作中の消費電力が少ない、請求項２５に記載の方法。
【請求項２７】
前記ワイヤレスデバイス（２６）が前記第２の構成のための前記プリファレンスインジケータの送信を許可されるまでの前記時間量を規定する前記値は０以上である、請求項１に記載の方法。
【請求項２８】
前記ワイヤレスデバイス（２６）が前記第２の構成のための前記プリファレンスインジケータの送信を許可されるまでの前記時間量を規定する前記値は０より大きい、請求項１に記載の方法。
【請求項２９】
セルラ通信ネットワーク（２２）内のワイヤレスデバイス（２６）であって、
ワイヤレス送信機（３０）と、
ワイヤレス受信機（３２）と、
前記ワイヤレス送信機（３０）および前記ワイヤレス受信機（３２）と関連付けられている処理サブシステム（３４）であって、
前記ワイヤレス送信機（３０）による第１の構成のためのプリファレンスインジケータの送信、および、前記第１の構成のための前記プリファレンスインジケータと関連付けられる再構成要求の受信から構成される群のうちの１つに応答してタイマを始動し、ここで、前記タイマは、前記ワイヤレスデバイス（２６）が第２の構成のためのプリファレンスインジケータの送信を許可されるまでの時間量を規定する値に設定され、
前記タイマが満了するまで、前記第２の構成のための前記プリファレンスインジケータの送信をブロックするように構成されている、処理サブシステム（３４）と
を含む、ワイヤレスデバイス（２６）。
【請求項３０】
セルラ通信ネットワーク（２２）内のワイヤレスデバイス（２６）を動作させる方法であって、
支援情報手順を開始するステップと、
所望の電力構成のためのプリファレンスインジケータを含む支援情報の送信をブロックすべきか、または開始すべきかを判定するために前記支援情報手順を実施するステップとを含み、
前記支援情報手順を実施するステップは、
前記所望の電力構成のための前記プリファレンスインジケータが、前記ワイヤレスデバイス（２６）によって送信された最新のプリファレンスインジケータと異なるか否か、およびタイマが満了したか否かを判定するステップと、
前記所望の電力構成のための前記プリファレンスインジケータが、前記ワイヤレスデバイス（２６）によって送信された前記最新のプリファレンスインジケータと異なり、かつ前記タイマが満了した場合、前記所望の電力構成のための前記プリファレンスインジケータを含む前記支援情報の送信を開始するステップと
を含む、ワイヤレスデバイス（２６）を動作させる方法。
【請求項３１】
前記支援情報手順を実施するステップは、前記所望の電力構成のための前記プリファレンスインジケータが、前記ワイヤレスデバイス（２６）によって送信された前記最新のプリファレンスインジケータと異なり、また前記タイマが満了していない場合、前記所望の電力構成のための前記プリファレンスインジケータを含む前記支援情報の送信をブロックするステップをさらに含む、請求項３０に記載の方法。
【請求項３２】
前記支援情報手順を実施するステップは、
プリファレンスインジケータを提供するように構成されて以来、前記ワイヤレスデバイス（２６）がプリファレンスインジケータを含む支援情報を送信したか否かを判定するステップと、
プリファレンスインジケータを提供するように構成されて以来、前記ワイヤレスデバイス（２６）がプリファレンスインジケータを含む支援情報を送信していない場合、前記所望の電力構成のための前記プリファレンスインジケータを含む前記支援情報の送信を開始するステップと
をさらに含む、請求項３０に記載の方法。
【請求項３３】
前記支援情報手順を実施するステップは、
前記所望の電力構成のための前記プリファレンスインジケータが、前記ワイヤレスデバイス（２６）によって送信された前記最新のプリファレンスインジケータと異ならない場合、
前記ワイヤレスデバイス（２６）が、モビリティ制御情報を含んでいた接続再構成メッセージの前記ワイヤレスデバイス（２６）による受信に先行する規定の時間量の間に、前記ワイヤレスデバイス（２６）によって送信される、前記最新のプリファレンスインジケータを送信したか否かを判定するステップと、
前記ワイヤレスデバイス（２６）が、前記モビリティ制御情報を含んでいた前記接続再構成メッセージの前記ワイヤレスデバイス（２６）による受信に先行する前記規定の時間量の間に、前記最新のプリファレンスインジケータを送信していた場合、前記所望の電力構成のための前記プリファレンスインジケータを含む前記支援情報の送信を開始するステップと、
前記ワイヤレスデバイス（２６）が、前記モビリティ制御情報を含んでいた前記接続再構成メッセージの前記ワイヤレスデバイス（２６）による受信に先行する前記規定の時間量の間に、前記最新のプリファレンスインジケータを送信していなかった場合、前記所望の電力構成のための前記プリファレンスインジケータを含む前記支援情報の送信をブロックするステップと
をさらに含む、請求項３０に記載の方法。
【請求項３４】
前記支援情報の送信の開始に応答して、
前記所望の電力構成のための前記プリファレンスインジケータが高電力効率構成のためのプリファレンスインジケータであるか否かを判定するステップと、
前記プリファレンスインジケータが前記高電力効率構成のための前記プリファレンスインジケータでない場合、
前記ワイヤレスデバイス（２６）が前記高電力効率構成のための前記プリファレンスインジケータの送信を許可されるまでの時間量を規定する値に設定されている前記タイマを始動するステップと、
前記支援情報のパワープリファレンスインジケータを、通常電力構成のためのプリファレンスインジケータに設定するステップであって、前記ワイヤレスデバイス（２６）は、前記通常電力構成において動作するとき、前記高電力効率構成において動作するときよりも消費電力が多い、ステップと、
前記パワープリファレンスインジケータを含む前記支援情報を送信するステップと
をさらに含む、請求項３２に記載の方法。
【請求項３５】
前記プリファレンスインジケータが前記高電力効率構成のためのものである場合、
前記支援情報の前記パワープリファレンスインジケータを、前記高電力効率構成のための前記プリファレンスインジケータに設定するステップと、
前記パワープリファレンスインジケータを含む前記支援情報を送信するステップと
をさらに含む、請求項３４に記載の方法。
【請求項３６】
前記プリファレンスインジケータが前記高電力効率構成のためのものである場合、前記ワイヤレスデバイス（２６）が前記通常電力構成のための前記プリファレンスインジケータを送信することを許可されるまでの前記時間量を規定する前記値に設定されている前記タイマを始動するステップをさらに含む、請求項３５に記載の方法。
【請求項３７】
セルラ通信ネットワーク（２２）内で動作するように構成されるワイヤレスデバイス（２６）をであって、
無線サブシステム（２８）と、
前記無線サブシステム（２８）と関連付けられている処理サブシステム（３４）であって、
支援情報手順を開始し、
所望の電力構成のためのプリファレンスインジケータを含む支援情報の送信をブロックすべきか、または開始すべきかを判定するために前記支援情報手順を実施するように構成されている、処理サブシステム（３４）とを備え、
前記支援情報手順を実施するため、前記処理サブシステム（３４）は、
前記所望の電力構成のための前記プリファレンスインジケータが、前記ワイヤレスデバイス（２６）によって送信された最新のプリファレンスインジケータと異なるか否か、およびタイマが満了したか否かを判定し、
前記所望の電力構成のための前記プリファレンスインジケータが、前記ワイヤレスデバイス（２６）によって送信された前記最新のプリファレンスインジケータと異なり、かつ前記タイマが満了した場合、前記所望の電力構成のための前記プリファレンスインジケータを含む前記支援情報の送信を開始する
ようにさらに構成されている、ワイヤレスデバイス（２６）。
【国際調査報告】
2015530017.tif 000012
2015530017.tif 000013
2015530017.tif 000014
2015530017.tif 000015
2015530017.tif 000016